(57)【特許請求の範囲】
【請求項１】
ケロシン原料油からジェット燃料を生産する方法であって、
水素化処理触媒の存在下、水素化処理条件下で、１６３〜３０２℃（３２５〜５７５°Ｆ）の沸点範囲を有するケロシン原料油を水素化処理して、水素化処理済みケロシン原料油を製造する工程；
１０員環１−Ｄ分子ふるいを含む触媒の存在下、脱ロウ条件下で前記水素化処理済みケロシン原料油を脱ロウして、水素化脱ロウ済みケロシン原料油を製造する工程；および
前記水素化脱ロウ済みケロシン原料油を分留して、ジェット燃料を製造する工程
を含み、
前記脱ロウ条件は、３００℃〜３８０℃（５７２〜７１６°Ｆ）の温度、７９１〜２０７８６ｋＰａ（１００〜３０００ｐｓｉｇ）の圧力、０．１〜１０ｈｒ−１の液体毎時空間速度および４５〜１７８０ｍ３／ｍ３（２５０〜１００００ｓｃｆ／Ｂ）の水素処理ガス比を含み、
前記ジェット燃料は、３７〜５１のＡＰＩ重力、１００°Ｆ（３７．８℃）より高い引火点および１８ｍｍより高い煙点を有する、
ことを特徴とする方法。
【請求項２】
前記水素化処理条件は、２８０℃〜４００℃の範囲内の温度、１４８０〜２０７８６ｋＰａ（２００〜３０００ｐｓｉｇ）の範囲内の圧力、０．１〜１０ＬＨＳＶの空間速度および８９〜１７８０ｍ３／ｍ３（５００〜１００００ｓｃｆ／Ｂの水素処理ガス比を含むことを特徴とする請求項１に記載の方法。
【請求項３】
前記水素化処理触媒が、少なくとも１種の第６族金属、少なくとも１種の第８族〜第１０族金属またはその混合物を含むことを特徴とする請求項１に記載の方法。
【請求項４】
前記水素化処理触媒が、担持または非担持触媒であってよいことを特徴とする請求項３に記載の方法。
【請求項５】
前記１０員環１−Ｄ分子ふるいが、ＺＳＭ−４８であることを特徴とする請求項１に記載の方法。
【請求項６】
前記脱ロウ触媒が、少なくとも１種の金属水素化成分を含むことを特徴とする請求項１に記載の方法。
【請求項７】
前記金属水素化成分が、Ｐｔ、Ｐｄまたはそれらの混合物であることを特徴とする請求項６に記載の方法。
【請求項８】
前記水素化処理触媒および前記脱ロウ触媒が、反応装置内部で別個の床を占有していることを特徴とする請求項１に記載の方法。
【請求項９】
前記水素化処理触媒および脱ロウ触媒が、別個の反応装置内に含まれていることを特徴とする請求項１に記載の方法。
【請求項１０】
前記ケロシン原料油が、少なくとも部分的にバイオ成分供給源に由来することを特徴とする請求項１に記載の方法。
【請求項１１】
前記ケロシン原料油が、少なくとも部分的にトリグリセリド植物油に由来することを特徴とする請求項１０に記載の方法。
【請求項１２】
前記ケロシン原料油が、少なくとも部分的に脂肪酸メチルエステルに由来することを特徴とする請求項１０に記載の方法。
【請求項１３】
前記ケロシン原料油が、少なくとも部分的に動物性脂肪に由来することを特徴とする請求項１０に記載の方法。
【請求項１４】
前記ケロシン原料油が、少なくとも部分的に油産生藻類に由来することを特徴とする請求項１０に記載の方法。
【請求項１５】
脱ロウに先立ち、前記水素化処理済みケロシン原料油について分離を実施する工程を更に含むことを特徴とする請求項１に記載の方法。
【請求項１６】
前記分離には、前記水素化処理済みケロシン原料油をストリッピングする工程が含まれることを特徴とする請求項１５に記載の方法。
【請求項１７】
ケロシン原料油からジェット燃料を製造する方法であって、
１０員環１−Ｄ分子ふるいを含む触媒の存在下、脱ロウ条件下で、１６３〜３０２℃（３２５〜５７５°Ｆ）の沸点範囲を有するケロシン原料油を脱ロウして、水素化脱ロウ済みケロシン原料油を製造する工程；および
前記水素化脱ロウ済みケロシン原料油を分留して、ジェット燃料を製造する工程
を含み、
前記脱ロウ条件は、３００℃〜３８０℃（５７２〜７１６°Ｆ）の温度、７９１〜２０７８６ｋＰａ（１００〜３０００ｐｓｉｇ）の圧力、０．１〜１０ｈｒ−１の液体毎時空間速度および４５〜１７８０ｍ３／ｍ３（２５０〜１００００ｓｃｆ／Ｂ）の水素処理ガス比を含み、
前記ジェット燃料は、３７〜５１のＡＰＩ重力、１００°Ｆ（３７．８℃）より高い引火点および１８ｍｍより高い煙点を有する、
ことを特徴とする方法。
【請求項１８】
前記１０員環１−Ｄ分子ふるいが、ＺＳＭ−４８であることを特徴とする請求項１７に記載の方法。
【発明の詳細な説明】
【技術分野】
【０００１】
本発明は、ケロシン原料由来のジェット燃料の収量および特性を改善するための方法に関する。より詳細には、ケロシン原料油が水素化処理され脱ロウされて、改善された特性を有するジェット燃料を生産する。
【背景技術】
【０００２】
ジェット燃料は、石油精製方法から生産される。ジェット燃料生産物は、単に精油塔由来のカットであり得る。より頻繁には、ジェット燃料は、酸性度、芳香族化合物、オレフィン類、ナフタレン、煙点、硫黄、メルカプタン、凝固点および色などの仕様を満たすためにさまざまな処理工程を受ける。必要とされる特別な処理は、生産されるジェット燃料の品質等級に応じたものである。ジェット燃料１等級を有する軽質ジェット燃料は一般に、原油の精製から生産される直留ケロシンである。ＪＰ−５およびＪＰ−８などの更に高いジェット燃料品質等級は、具体的最終使用要件を満たすため、酸化防止剤、腐食抑制剤、分散剤などのさまざまな添加剤を含む。ジェット燃料は世界市場で使用されていることから、このような要件はその範囲が国際的なものであり得る。
【０００３】
１９７０年代以降ケロシンの市場全体は衰退の道をたどってきたものの、ジェット燃料の市場は大部分の国において拡張しつつあった。こうして、大部分の米国の精製事業者は、ジェット燃料に対するニーズを含めた燃料顧客の燃料ニーズを満たすために生産能力ぎりぎりで稼動してきた。現在（２００５〜２００６年）、米国は、一日に２００万バレルをわずかに下回る量のジェット燃料を使用している。この用途向けの大部分が国内で生産され、輸入は少量にすぎない。輸出もまた少なく、ほとんどが国際線向けに使用される航空機に搭載される燃料を構成する。
【０００４】
寒冷気候では、ケロシンベースの大量のジェット燃料がディーゼル燃料と配合するために使用される。ジェット燃料は通常新しい超低硫黄ディーゼル（ＵＬＳＤ）規則の下で許可されているものよりも多くの硫黄を含んでいることから、この使用は減少するかもしれない。しかしながら、ディーゼル燃料よりもケロシンから硫黄を除去する方が容易であることから、ＵＬＳＤ規則の施行によって、精油所内部においてディーゼル配合原料としてのケロシンの需要が増大するかもしれない。
【０００５】
ジェット燃料のコストは、航空会社にとって重大な問題になっている。一般に、ジェット燃料のコストは、原油コストにほぼ連動している。従って航空会社は、ジェット燃料コストの著しい上昇を経験してきた。
【０００６】
ケロシンに由来する高品質のジェット燃料の収量を最大限にする必要性が存在する。硫黄、引火点、凝固点および煙点などの要因を、ジェット燃料に適用される変動する規則に照らして、考慮する必要がある。
【発明の概要】
【０００７】
従って、ケロシン原料油からジェット燃料を生産するための方法において、
−  水素化処理条件下で水素化処理触媒の存在下でケロシン原料油を水素化処理して水素化処理済みのケロシン原料油を生産する工程と；
−  脱ロウ条件下で１０員環１−Ｄ分子ふるいを含む触媒の存在下で前記水素化処理済みケロシン原料油を脱ロウして、水素化脱ロウ済みケロシン原料油を生産する工程と；
−  前記水素化脱ロウ済みケロシン原料油を分留してジェット燃料を生産する工程と；
を含むことを特徴とする方法が提供される。
【図面の簡単な説明】
【０００８】
【図１】本発明の一実施形態に係る方法を実施するための反応系を概略的に示す。
【発明を実施するための形態】
【０００９】
原料油
一実施形態において、本方法用の原料油はケロシンである。直留ケロシンなどのケロシンは、原油を分留するかまたはその留分を蒸留するために使用される分留塔から入手してよい。別の実施形態においては、適切な原料油には、従来の原油由来のケロシン並びに水素添加分解装置のケロシンなどのその他の精油所供給源由来のパラフィン系炭化水素が含まれ得る。更にその他のプロセス原料は、フィッシャー・トロプシュなどの合成原油供給源からのニートかまたはコフィード（ｃｏ−ｆｅｅｄ）されたままのパラフィン系炭化水素および／または脂肪酸メチルエステル（ＦＡＭＥ）などの関連する化合物および油産生藻類を含めた、トリグリセリド植物性および動物性脂肪などのバイオ成分供給源に由来する炭化水素を含んでいてよい。酸素化物を含む原料については、水素化を介して原料を前処理して酸素を除去し、不飽和側鎖をパラフィン系炭化水素に転換することが好ましい。ハイドロ異性化を介したパラフィン系炭化水素からジェット燃料への変換は、開示されている現方法および触媒系の１つの特殊な特徴である。
【００１０】
適切な原料油は、ＡＳＴＭ  Ｄ８６またはＡＳＴＭ  Ｄ２８８７により測定された場合に、１４９〜３４３℃（３００〜６５０°Ｆ）、好ましくは１６３〜３１６℃（３２５〜６００°Ｆ）の沸点範囲を有する。従来のケロシンに比べた場合、沸点範囲の上端の上昇は、ジェット燃料の収量を維持する上で一助となり、一方下端の上昇は、引火点を上昇させる一助となる。上端が上昇した場合、雲り点および凝固点が上昇する。
【００１１】
凝固点（ロウの結晶化）は、ジェット燃料の生産における制約的仕様であり得る。一次的制御は、（重質ロウ分子を除外するために）最終段階収量を削減し、（最終段階の重質分子を可溶化する溶剤を添加してために）初期段階収量を最大限にすることである。ロウの異性化は、凝固点に対する重質ロウ分子の影響を著しく削減し、それらのより多くのものを含み入れることができるようにし、その結果ジェット燃料収量は増大する。ディーゼル燃料または燃料油などのその他の原料は、重質すぎてジェット燃料の（蒸発）性能要件を満たすことができない。
【００１２】
この方法の別の利点は、それが二重の目的をもつ、ケロシン即ち市場のニーズに応じて冬季配合用のＮｏ．１ディーゼルとしてかまたはジェット燃料として使用してよいケロシンの収量を拡大できるという点にある。
【００１３】
水素化処理
ケロシン原料油は典型的には、ジェット燃料として許容不可能な量で硫黄および／または窒素汚染物質を含む。従って、水素化処理済みケロシンを生産するため、ケロシン原料油は、硫黄および／または窒素汚染物質の少なくとも一部を除去するのに有効な条件下で水素化処理触媒と接触させられる。本明細書中で使用するのに適した水素化処理触媒は、（第１〜１８族を有するＩＵＰＡＣ周期表に基づく）少なくとも１種の第６族金属および少なくとも１種の第８〜１０族金属並びにそれらの混合物を含むものである。好ましい金属としては、Ｎｉ、Ｗ、Ｍｏ、Ｃｏおよびその混合物が含まれる。これらの金属または金属混合物は典型的には、耐火性金属酸化物担体上に酸化物または硫化物として存在する。金属混合物は同様に、金属量が触媒に基づき３０ｗｔ％以上であるバルク金属触媒として存在してもよい。
【００１４】
適切な金属酸化物担体としては、シリカ、アルミナ、シリカ−アルミナまたはチタニアが含まれ、好ましくはアルミナである。好ましいアルミナは、多孔質アルミナ例えばガンマまたはエータである。これらの触媒は典型的には、バルク触媒との関係において以上で記述された範囲内の金属および少なくとも１種の押出し剤を含む。第６族および第８〜１０族金属の好ましい混合物の場合、第８〜１０族金属は、触媒に基づいて０．５〜３５ｗｔ％の量で存在し、第６族金属は、５〜３０ｗｔ％の量で存在する。金属の量は、原子吸光分光法、誘導結合プラズマ原子発光分析または、個々の金属についてＡＳＴＭが規定するその他の方法によって測定してよい。適切な市販の水素化処理触媒の非制限的な例としては、ＮＥＢＵＬＡＴＭ、ＫＦ−８４０、ＫＦ−８４８、ＫＦ−７５７、およびＤＮ−２００が含まれる。好ましい触媒は、ＫＦ−８４８およびＮＥＢＵＬＡＴＭを含めた低酸性度、高金属含有量の触媒である。
【００１５】
水素化処理触媒と接触させたケロシン原料油では、原料油の窒素および／または硫黄含有量が削減される。原料油の窒素含有量は典型的には、１０ｗｐｐｍ以下、好ましくは５ｗｐｐｍ以下に削減される。原料油の硫黄含有量は、典型的には５００ｗｐｐｍ以下、好ましくは３００ｗｐｐｍ以下まで削減される。
【００１６】
水素化処理条件には、１４８０〜２０７８６ｋＰａ（２００〜３０００ｐｓｉｇ）、好ましくは２８５９〜１３８９１ｋＰａ（４００〜２０００ｐｓｉｇ）の範囲内の圧力で２４０℃〜４００℃、好ましくは３００℃〜３８０℃の範囲内の温度、０．１〜１０ＬＨＳＶ、好ましくは０．１〜５ＬＨＳＶの空間速度、および１８〜８９０ｍ３／ｍ３（１００〜５０００ｓｃｆ／Ｂ）、好ましくは４４〜１７８ｍ３／ｍ３（２５０〜１０００ｓｃｆ／Ｂ）の水素処理ガス比が関与する。
【００１７】
水素化処理は典型的には、ケロシン原料油中の窒素および硫黄汚染物質をそれぞれアンモニアおよび硫化水素に転換することにより、これらの汚染物質を削減する。これらの気体汚染物質は好ましくは、ストリッパー、ノックアウトドラムなどの従来の技術を用いて水素化処理済みケロシンから分離されてよい。一変形態様においては、水素化処理装置からの気体および液体流出物全体を、次の段に送ってよい。段間分離を有していない既存の反応装置に対するドロップインのためには、直接カスケードが好ましい。
【００１８】
水素化処理用反応段は、各々が同じ水素化処理触媒の１つ以上の触媒床を含み得る１つ以上の固定床反応装置または反応ゾーンで構成され得る。その他のタイプの触媒床を使用することもできるが、固定床が好ましい。このようなその他のタイプの触媒床としては、流動床、沸騰床、スラリー床および移動床が含まれる。脱硫反応は一般に発熱反応であることから、反応装置または反応ゾーン間または同じ反応装置または反応ゾーン内の触媒床間の段間冷却または加熱を利用することができる。水素化処理中に発生する熱の一部を回収することが可能である。この熱回収の選択が利用できない場合、冷却水または空気などの冷却用役を通してか、または水素急冷流を使用することによって、従来の冷却を実施してよい。このようにして、最適な反応温度をより容易に維持することができる。
【００１９】
一変形実施形態においては、汚染物質レベルが低いケロシン原料を選択してもよい。このような実施形態においては、水素化処理工程を省略してもよい。汚染物質レベルが充分に低いことが考えられるケロシン原料の例としては、水素添加分解装置ケロシンおよびフィッシャー・トロプシュ油に由来するケロシンがある。
【００２０】
水素化脱ロウ
水素化処理装置からの流出物、好ましくは全ての流出物、最も好ましくは全てのストリッピング済み流出物を、次に第２の反応段においてハイドロ異性化条件下でハイドロ異性化脱ロウ触媒と接触させて、ハイドロ脱ロウ済みのケロシン原料油を生産する。脱ロウ触媒は標準的には、耐火性金属酸化物上に担持された１０員環１−Ｄ分子ふるいおよび金属水素化成分を含む。金属水素化成分は、好ましくは第８〜１０族金属、より好ましくは貴金属、最も好ましくはＰｄ、Ｐｔまたはその混合物である。金属成分の量は、触媒に基づいて０．１〜５ｗｔ％、好ましくは０．１〜２ｗｔ％の範囲内にある。耐火性金属酸化物は、アルミナ、シリカ、シリカ−アルミナ、チタニア、ジルコニアなどであってよく、好ましくはアルミナ、最も好ましくはガンマアルミナである。
【００２１】
脱ロウ触媒内の分子ふるいの量は、触媒に基づき１０〜１００ｗｔ％、好ましくは４０〜８０ｗｔ％である。脱ロウ触媒の残りの部分は耐火性担体および金属水素化成分である。このような触媒は、噴霧乾燥、押出しなどの方法により形成可能である。脱ロウ触媒は、硫化または未硫化形態で使用してよく、好ましくは硫化形態をしている。
【００２２】
１０員環１−Ｄ分子ふるいはＺＳＭ−２３、ＺＳＭ−３５、ＺＳＭ−４８または別の適切な分子ふるいであり得る。好ましくは、分子ふるいは、ＺＳＭ−４８中のシリカ対アルミナの比率が約１１０：１未満であるＺＳＭ−４８である。
【００２３】
少なくとも１種の水素化金属は、耐火性金属酸化物担体などの担体および／または結合材が分子ふるいと共に取込まれる前またはその後、好ましくはその後に触媒上に取込まれる、即ち被着される。少なくとも１種の水素化金属は、それを行なうのに有効であることが公知であるあらゆる手段によって被着させることができる。適切な取込み手段の非限定的な例としては、含浸法（ｉｎｃｉｐｉｅｎｔ  ｗｅｔｎｅｓｓ）、イオン交換、分子ふるいおよび結合材と１つまたは複数の金属酸化物前駆体の機械的混合、またはそれらの組合せがあり、好ましい方法は含浸法である。
【００２４】
本発明の一実施形態においては、ケロシン原料流が、有効な水素化脱ロウ条件下で反応段内で上述の水素化脱ロウ触媒と接触させられる。本発明において使用される水素化脱ロウ触媒を含む反応段は、各々同じまたは異なる触媒の１つ以上の触媒床を含み得る１つ以上の固定床反応装置または反応ゾーンで構成され得る。他のタイプの触媒床を使用することも可能であるが、固定床が好ましい。このような他のタイプの触媒床としては、流動床、沸騰床、スラリー床および移動床が含まれる。反応装置、反応ゾーンの間または同じ反応装置内の触媒床の間での段間冷却または加熱を利用することが可能である。発生したあらゆる熱の一部を回収することも可能である。この熱回収の選択肢が利用可能でない場合、冷却水または空気などの冷却用役を通してかまたは水素急冷流を使用することによって、従来の冷却を実施してよい。このようにして、最適な反応温度をより容易に維持することができる。脱ロウ触媒を含む反応段は、第２の反応段と呼ばれる場合もあるという点に留意すべきである。
【００２５】
有効な水素化脱ロウ条件には、水素化処理条件には、１４８０〜２０７８６ｋＰａ（２００〜３０００ｐｓｉｇ）、好ましくは２８５９〜１３８９１ｋＰａ（４００〜２０００ｐｓｉｇ）の範囲内の圧力で２４０℃〜４００℃、好ましくは３００℃〜３８０℃の範囲内の温度、０．１〜１０ＬＨＳＶ、好ましくは０．１〜５ＬＨＳＶの空間速度、および１８〜８９０ｍ３／ｍ３（１００〜５０００ｓｃｆ／Ｂ）、好ましくは４４〜１７８ｍ３／ｍ３（２５０〜１０００ｓｃｆ／Ｂ）の水素処理ガス比が関与する。
【００２６】
１０員環１−Ｄ分子ふるいを含む触媒を使用することにより、ナフサなどの比較的低沸点の留分に転換されるケロシンの量を最小限におさえながら低温特性が改善される。こうして、単一イソパラフィンが、水素化分解するかまたはより好ましくは比較的分岐度の高い分子へと異性化するかもしれない。これらの比較的分岐度の高いイソパラフィンは、クラッキングなどの更なる反応から保護されている。特に、ＺＳＭ−４８は、有意なクラッキングが発生することなく、直鎖および単一分岐イソパラフィンをハイドロ異性化するための優れた触媒である。これにより、ジェット燃料の収量は改善される。更に、プロセス全体は、芳香族化合物を飽和させることにより煙点を許容可能なレベルまで改善させ、同時に硫黄および窒素含有汚染物質を許容可能なレベルまで低下させるための経済的な方法も提供する。
【００２７】
プロセス
一実施形態においては、水素化処理触媒および脱ロウ触媒は同じ反応装置内の異なる固定床を占有している。水素化処理触媒が最初にケロシン原料油と接触すること即ち、脱ロウ触媒の上流側に設置されることが好ましい。ＺＳＭ−４８が分子ふるいとして選択される実施形態においては、水素化処理により形成されたＨ２Ｓ／ＮＨ３の量が過度なものではない場合、ＺＳＭ−４８がその他の異性化脱ロウ触媒よりもこれらの汚染物質に対し寛容性があることを理由として、水素化処理段からの流出物全体を脱ロウ段に送ることが好ましい。しかしながら、水素化処理により形成されるＨ２Ｓ／ＮＨ３の量が過度である場合には、水素化処理段からの流出物をストリッピングしてこれらの汚染物質を除去してよい。反応装置を通る原料油の流れは、並流であっても向流であってもよく、好ましくは向流である。反応装置に入る前の原料油に水素を添加してもよい。
【００２８】
別の実施形態においては、水素化処理触媒は別個の第１の反応装置内にある。第１の反応装置からの流出物は、軽質炭化水素およびＨ２Ｓ／ＮＨ３などの気体を除去するためのストリッピングを伴ってまたは伴わずに、脱ロウ触媒を含む第２の反応装置まで導かれる。ここでもまた、段間ストリッパーを迂回するか否かは、分子ふるいの性質および第１の反応装置からの流出物の汚染度に応じて決定される。或いは、水素化処理と脱ロウ段の間に別のタイプの分離装置を使用してもよい。
【００２９】
いずれの実施形態においても、脱ロウ段からの流出物は、分離装置、好ましくは高圧分離装置に送られてよく、分離装置由来の液体流出物は精留塔に送られて、改善された収量および特性を有する所望のジェット燃料を生産する。
【００３０】
上述のプロセスを実施するのに適した反応系が、図１に概略的に示されている。図１中では、ケロシン原料油１０８が第１の水素化処理反応装置１１０内に導入されている。水素処理ガス流１１５も同様に水素化処理反応装置１１０内に導入される。ケロシン原料油は、水素化処理触媒を含む１つ以上の触媒床の存在下で第１の水素化処理反応装置１１０内の水素化処理条件に曝露される。任意には、処理済み原料油は分離装置１２２内に流れ込み、ここで気相生成物が液相生成物から分離される。任意には、分離装置１２２により分離された気相生成物の一部を、再生水素処理ガス流（図示せず）として、第１の反応装置に逆送してよい。第１の水素化処理反応装置１１０および任意には分離装置１２２を通過した後、処理済み原料油は、第２の水素処理ガス流１２５と共に脱ロウ反応装置１４０に入る。処理済み原料油は次に、ジェット燃料として使用するのに適した燃料を分離するための分離装置１４２を通過することができる。一変形実施形態においては、水素化処理段および脱ロウ段を単一の反応装置内に含めてもよい。
【００３１】
以上の記述は、本発明の好ましい実施形態に向けられている。当業者であれば、本発明の精神を実施するために、同等に有効なその他の実施形態を考案することができるということを認識するものである。
【００３２】
以下の実施例は本発明の改善された有効性を例証するものであるが、いかなる形であれ本発明を限定するようには意図されていない。
【実施例】
【００３３】
反応装置１および２の間にいかなる段間ストリッピングも無い２反応装置系の中で、ケロシン原料油の水素化処理および脱ロウを行った。反応装置１に、市販の（Ｃｒｉｔｅｒｉｏｎ）ＣｏＭｏ水素化処理触媒を投入した。反応装置２には、Ｐｔ／ＺＳＭ−４８脱ロウ触媒を投入した。
【００３４】
ケロシン原料油は、より重質のケロシンを製造するためのより深い原油カットを代表するように主にアラビア軽質原油から調製した。標準的な市販のジェット燃料カットは３００〜５５０°Ｆ（１４９〜２８８℃）の標準沸点範囲を有するものの、ケロシンカットは３２５〜５７５°Ｆ（１６３〜３０２℃）の沸点範囲を有していた。引火点を上昇させるために、より高い初期沸点を使用し、原油に対して同じ全体的収量を維持するためにより高い終点を使用した。原料油（原料＃２）および特性は表１にまとめられている。実験結果は、表２にまとめられている。
【００３５】
【表１】
0005597638.tif 000002
【００３６】
【表２】
0005597638.tif 000003
【００３７】
ＭＢ３３０と呼称されている第１の実験において、Ｐｔ／ＺＳＭ−４８触媒は、低温で作動させることにより「オフ切替え」されている。結果は、水素化処理単独では、凝固点を所要仕様まで低減させるのに有効でないということを示している。第２の実験（ＭＢ３２９）において、Ｐｔ／ＺＳＭ４８触媒は６５０°Ｆ（３４３℃）での稼働中に導入され、結果として９０．２ｗｔ％という高引火点の超低硫黄ジェット燃料の収量が得られている。最後の実験（ＭＢ３３４）は、更に高いｐｔ／ＺＳＭ４８触媒過酷度（６７５°Ｆ、３５９℃）を利用して、引火点が高く凝固点の非常に低いジェット燃料を優れた収量（８３．０ｗｔ％）で生産できるということを実証している。煙点および芳香族化合物は全てのケースにおいて改善されている。
【図１】
0005597638.tif 000004